(57)【要約】【課題】大口径高変倍比で最物体側レンズ群以外のレンズ群で合焦を行い軽量で変倍による焦点移動が少なく鏡筒構成が簡単なズームレンズ。【解決手段】物体側から負正負正のレンズ群Ｇ１〜Ｇ４を有し、広角端から望遠端への変倍時、１群Ｇ１と２群Ｇ２との間隔が減少し２群Ｇ２と３群Ｇ３との間隔が増大し３群Ｇ３と４群Ｇ４との間隔が減少し、２群Ｇ２は物体側から正の前群２ａと正の後群２ｂからなり、前群２ａを移動させて合焦を行い、広角端から望遠端までの少なくとも一部の焦点距離で１群Ｇ１から後群２ｂまでが略アフォーカル系を形成し、前群２ａの最物体側レンズの少なくとも一方のレンズ面が光軸から離れるにしたがい正屈折力が小さくなる非球面であるか、または前群２ａの最物体側レンズが接合レンズで物体側レンズの屈折率が像側レンズの屈折率よりも小さく接合面が物体側に凹であり、所定条件式を満たす。【選択図】図４
2005107036.tif 000002
【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍の際に、前記第１レンズ群と前記第２レンズ群との間隔が減少し、前記第２レンズ群と前記第３レンズ群との間隔が増大し、前記第３レンズ群と前記第４レンズ群との間隔が減少するズームレンズにおいて、
前記第２レンズ群は、物体側から順に、正の屈折力を有する前群と、正の屈折力を有する後群とからなり、
無限遠から近距離への合焦の際に、前記前群を光軸に沿って移動させることで合焦を行い、
広角端状態から望遠端状態までの焦点距離領域中の少なくとも一部の焦点距離において前記第１レンズ群から前記後群までが略アフォーカル系を形成し、
前記前群における最も物体側のレンズは、単レンズまたは接合レンズであって、
前記前群における最も物体側のレンズが前記単レンズの場合、当該単レンズの少なくとも一方のレンズ面が光軸から離れるにしたがって正の屈折力が小さくなる非球面であり、
前記前群における最も物体側のレンズが前記接合レンズの場合、当該接合レンズの物体側のレンズの屈折率が像側のレンズの屈折率よりも小さく、接合面が物体側に凹であり、
以下の条件式を満足することを特徴とするズームレンズ。
１．８＜|β２ａ|min
但し、
|β２ａ|min：無限遠状態における前記前群の使用倍率の絶対値の最小値
【請求項２】
以下の条件式を満足することを特徴とする請求項１に記載のズームレンズ。
１．０＜ｆ２ａ／ｆ２ｂ＜１．６
但し、
ｆ２ａ：前記第２レンズ群における前記前群の焦点距離
ｆ２ｂ：前記第２レンズ群における前記後群の焦点距離
【請求項３】
前記後群の少なくとも１つのレンズ面が光軸から離れるにしたがって正の屈折力が大きくなる非球面であることを特徴とする請求項１または請求項２に記載のズームレンズ。
【請求項４】
以下の条件式を満足することを特徴とする請求項１または請求項２に記載のズームレンズ。
１．５＜（−ｆ１）／ｆｗ＜２．３
０．７５＜ｆ２／（ｆｗ×ｆｔ）1/2＜１．６
但し、
ｆ１：前記第１レンズ群の焦点距離
ｆｗ：広角端状態における前記ズームレンズ全系の焦点距離
ｆｔ：望遠端状態における前記ズームレンズ全系の焦点距離
【請求項５】
以下の条件式を満足することを特徴とする請求項１から請求項４のいずれか１項に記載のズームレンズ。
０．６＜（−ｆ３）／ｆ２＜１．２
０．８＜ｆ４／（ｆｗ×ｆｔ）1/2＜２．０
但し、
ｆ２：前記第２レンズ群の焦点距離
ｆ３：前記第３レンズ群の焦点距離
ｆ４：前記第４レンズ群の焦点距離
【請求項６】
開口絞りを有し、
当該開口絞りは、前記第２レンズ群よりも像側であって、かつ前記第３レンズ群中または前記第３レンズ群近傍に配置されていることを特徴とする請求項１から請求項５のいずれか１項に記載のズームレンズ。
【発明の詳細な説明】
【技術分野】
【０００１】
本発明は、ズームレンズに関し、特に一眼レフカメラなどに利用される内焦式の高変倍ズームレンズに関する。
【背景技術】
【０００２】
従来、負の屈折力を有するレンズ群が先行するいわゆるネガティブリード型のズームレンズは、広角化を図ることが比較的容易であるため、様々な提案がなされている。
【０００３】
一方、ズームレンズの合焦（フォーカシング）は、一般に最も物体側のレンズ群を繰り出して行われる。この合焦方式は、同一距離にある被写体に対する全ズーム領域でほぼ同一の繰り出し量となり、鏡筒の構成も比較的簡単となるため、現在でも多く用いられている。
【０００４】
しかしながら斯かる構成のズームレンズは、高変倍比化と大口径化を図る場合に、合焦レンズ群が大きく重いものになってしまうという欠点を有している。そこで、近年では、オートフォーカスカメラの普及に伴い、合焦レンズ群の軽量化を図るために様々な提案がなされている（例えば、特許文献１を参照）。
【特許文献１】特開平５−１７３０７０号公報
【発明の開示】
【発明が解決しようとする課題】
【０００５】
しかしながら、上記特許文献１に開示されているズームレンズは、大口径、高変倍比、およびレンズ全長の短縮化が図られたものではないという問題がある。
【０００６】
そこで本発明は上記問題点に鑑みてなされたものであり、大口径、高変倍比であって、最も物体側のレンズ群以外のレンズ群によって合焦を行い、かつ軽量でありながらズーミングによる焦点移動が少なく、鏡筒の構成が簡単なズームレンズを提供することを目的とする。
【課題を解決するための手段】
【０００７】
上記課題を解決するために本発明は、
物体側から順に、負の屈折力を有する第１レンズ群と、正の屈折力を有する第２レンズ群と、負の屈折力を有する第３レンズ群と、正の屈折力を有する第４レンズ群とを有し、
広角端状態から望遠端状態への変倍（ズーミング）の際に、前記第１レンズ群と前記第２レンズ群との間隔が減少し、前記第２レンズ群と前記第３レンズ群との間隔が増大し、前記第３レンズ群と前記第４レンズ群との間隔が減少するズームレンズにおいて、
前記第２レンズ群は、物体側から順に、正の屈折力を有する前群と、正の屈折力を有する後群とからなり、
無限遠から近距離への合焦の際に、前記前群を光軸に沿って移動させることで合焦を行い、
広角端状態から望遠端状態までの焦点距離領域中の少なくとも一部の焦点距離において前記第１レンズ群から前記後群までが略アフォーカル系を形成し、
前記前群における最も物体側のレンズは、単レンズまたは接合レンズであって、
前記前群における最も物体側のレンズが前記単レンズの場合、当該単レンズの少なくとも一方のレンズ面が光軸から離れるにしたがって正の屈折力が小さくなる非球面であり、
前記前群における最も物体側のレンズが前記接合レンズの場合、当該接合レンズの物体側のレンズの屈折率が像側のレンズの屈折率よりも小さく、接合面が物体側に凹であり、
以下の条件式（１）を満足することを特徴とするズームレンズを提供する。
（１）  １．８＜|β２ａ|min
但し、
|β２ａ|min：無限遠状態における前記前群の使用倍率の絶対値の最小値
【発明の効果】
【０００８】
本発明によれば、大口径、高変倍比でありながら最も物体側のレンズ群以外のレンズ群によって合焦を行い、かつ軽量でありながらズーミングによる焦点移動が少なく、鏡筒の構成が簡単なズームレンズを提供することができる。
【発明を実施するための最良の形態】
【０００９】
本発明のズームレンズは、物体側から順に、負の屈折力を有する第１レンズ群と、正の屈折力を有する第２レンズ群と、負の屈折力を有する第３レンズ群と、正の屈折力を有する第４レンズ群とを有する。そして、広角端状態から望遠端状態への変倍の際に、第１レンズ群と第２レンズ群との間隔が減少し、第２レンズ群と第３レンズ群との間隔が増大し、第３レンズ群と第４レンズ群との間隔が減少する。
【００１０】
そして本発明のズームレンズでは、第２レンズ群は、物体側から順に、正の屈折力を有する前群と、正の屈折力を有する後群とからなり、無限遠から近距離への合焦の際に、前群を光軸に沿って移動させることで合焦を行い、広角端状態から望遠端状態までの焦点距離領域中の少なくとも一部の焦点距離において第１レンズ群から後群までが略アフォーカル系を形成し、前群における最も物体側のレンズは、単レンズまたは接合レンズであって、前群における最も物体側のレンズが単レンズの場合、当該単レンズの少なくとも一方のレンズ面が光軸から離れるにしたがって正の屈折力が小さくなる非球面であり、前群における最も物体側のレンズが接合レンズの場合、当該接合レンズの物体側のレンズの屈折率が像側のレンズの屈折率よりも小さく、接合面が物体側に凹であり、以下の条件式（１）が満足される。
（１）  １．８＜|β２ａ|min
但し、
|β２ａ|min：無限遠状態における前群の使用倍率の絶対値の最小値
【００１１】
本発明のズームレンズにおいて、高変倍比と短い最短撮影距離を確保しつつレンズ全長を短くするため、変倍群である第２レンズ群（前群＋後群）の移動量と、合焦レンズ群である前群の移動量とを適切に確保する必要がある。
【００１２】
本発明のズームレンズは、その合焦方式において、広角端状態から望遠端状態へズーミングする際に、第１レンズ群と前群によって、収束状態からアフォーカル状態を経て発散状態へと変化する。また、合焦の際に移動する前群の移動量と、第２レンズ群全体の厚みとによって、前群における最も物体側のレンズと後群に対する各光線の通過状況が異なる。
【００１３】
第２レンズ群の前群における最も物体側のレンズの周辺部分を通過する光線は、光軸から近い順に、広角端状態のランド光線、広角端状態の軸外主光線と望遠端状態の軸外主光線、望遠端状態のランド光線である。このため、前群の最も物体側のレンズは、広角端状態において、像面湾曲を悪化させ、球面収差を僅かに悪化させる。また、望遠端状態において、像面湾曲を悪化させ、球面収差を特に悪化させる。ここで、上述のランド光線とは、像高０に達する光線のうちで最も光軸から離れた光線をいう。
【００１４】
また、本発明のズームレンズにおいて、第２レンズ群における前群は、近距離物体への合焦に伴い光軸に沿って像側へ移動する。
【００１５】
このため、前群における最も物体側のレンズが単レンズの場合、当該単レンズの少なくとも一方のレンズ面を、光軸から離れるにしたがって正の屈折力が小さくなる非球面で構成することによって、第２レンズ群で発生する各焦点距離状態におけるマイナス方向のメリディオナル像面湾曲と、広角端状態におけるマイナス方向の球面収差とを良好に補正することができ、合焦による近距離変動を抑えることもできる。
【００１６】
また、前群における最も物体側のレンズが接合レンズの場合、物体側のレンズの屈折率が像側のレンズの屈折率よりも小さく接合面が物体側に凹の接合レンズで構成することによっても、上述のように第２レンズ群における前群の最も物体側のレンズに非球面を導入した場合と同様の効果を奏することができる。
【００１７】
尚、前群の最も物体側のレンズに非球面を導入することは、前群の最も物体側のレンズを上述の接合レンズで構成する場合よりも、前群の移動量を確保する上で有利である。
【００１８】
一方、本発明のズームレンズにおいて、高変倍比化と小型化を両立しつつ近接撮影を可能とするためには、合焦レンズ群である前群の屈折力を大きくすることが効果的であるが、これにより著しい性能の劣化を招くこととなってしまう。
【００１９】
また、本発明のズームレンズにおいて、ズーム全域（広角端状態から望遠端状態までの全焦点距離状態）において合焦レンズ群である前群の繰り出し量が一定であることが望ましい。このため、合焦レンズ群の無限遠状態での最低倍率（|β２ａ|min）を所定値よりも大きく確保する必要がある。
【００２０】
ここで、合焦のための合焦レンズ群の移動量（繰り出し量ΔＸ）は、次式で表される。
（Ｒ−ＴＬ−ｆ１）ΔＸ＝（Ｄ０−ｆ１）ΔＸ
＝（ｆ１2（ΔＸ＋β２ａ×ｆ２ａ）／［ΔＸ｛ΔＸ
＋（β２ａ2−１）×（ｆ２ａ／β２ａ）］）
但し、
Ｒ    ：撮影距離
ＴＬ  ：ズームレンズ全体の長さ（第１レンズ群の物体側主点から像面までの長さ）
ｆ１  ：第１レンズ群の焦点距離
Ｄ０  ：第１レンズ群の物体側主点から物体までの距離
ΔＸ  ：合焦のための合焦レンズ群の繰り出し量（物体側から像側への移動を正としたとき、撮影距離Ｒの物体に合焦するために合焦レンズ群が移動した量）
β２ａ：撮影距離が無限遠のときの合焦レンズ群の横倍率
ｆ２ａ：合焦レンズ群の焦点距離
【００２１】
上式は、近似的に次式のように表せる。
（Ｄ０−ｆ１）ΔＸ≒ｆ１2×β２ａ2／（β２ａ2−１）
【００２２】
該式より、β２ａが十分に大きければ、合焦レンズ群の繰り出し量ΔＸは、焦点距離状態にかかわらず一定とみなすことができる。
【００２３】
上記条件式（１）は、無限遠状態における前群（合焦レンズ群）の使用倍率の絶対値の最小値を適切に規定するための条件式である。条件式（１）の下限値を下回って|β2a|minが小さくなり過ぎると、各焦点距離状態における合焦レンズ群の繰り出し量が異なってしまうため好ましくない。
【００２４】
また、本発明の好ましい態様によれば、本発明のズームレンズは、以下の条件式（２）を満足することが望ましい。
（２）  １．０＜ｆ２ａ／ｆ２ｂ＜１．６
但し、
ｆ２ａ：第２レンズ群における前群の焦点距離
ｆ２ｂ：第２レンズ群における後群の焦点距離
【００２５】
上記条件式（２）は、第２レンズ群における前群の焦点距離と後群の焦点距離との比を適切に設定するための条件式である。
【００２６】
条件式（２）の上限値を上回って前群の焦点距離が大きくなり過ぎると、第２レンズ群全体の焦点距離が同じであっても望遠端状態における後群の焦点距離が小さくなり過ぎる。このため、合焦のための前群の繰り出し量が焦点距離状態によって異なってしまう。また、この合焦のための繰り出し量が大きくなってズームレンズ全長が拡大してしまうため好ましくない。
【００２７】
一方、条件式（２）の下限値を下回って前群の焦点距離が小さくなり過ぎると、第２レンズ群全体の焦点距離が同じであっても広角端状態における後群の焦点距離が小さくなり過ぎる。このため、合焦のための前群の繰り出し量が焦点距離状態によって異なってしまう。また、特に望遠端状態における球面収差が発生してしまうため好ましくない。
【００２８】
また、本発明の好ましい態様によれば、本発明のズームレンズにおいて、後群の少なくとも１つのレンズ面が光軸から離れるにしたがって正の屈折力が大きくなる非球面であることが望ましい。
【００２９】
第２レンズ群の後群における最も物体側のレンズの周辺部分を通過する光線は、光軸から近い順に、広角端状態の軸外主光線、広角端状態のランド光線、望遠端状態の軸外主光線、望遠端状態のランド光線である。このため、後群の最も物体側のレンズは、広角端状態において、像面湾曲や球面収差などに殆ど影響を与えることがないが、望遠端状態において、球面収差を特に悪化させる。
【００３０】
上述のように、第２レンズ群の前群における最も物体側のレンズは、望遠端状態において球面収差を特に悪化させる。このため、変倍比を大きく確保すれば、プラス側へ過剰に収差補正することとなってしまう。そこで、望遠端状態において球面収差のみを悪化させる後群に、光軸から離れるにしたがって正の屈折力が大きくなる非球面を配置すれば、望遠端状態において球面収差のみを良好に補正することが可能となる。
【００３１】
また、本発明の好ましい態様によれば、本発明のズームレンズは、以下の条件式（３），（４）を満足することが望ましい。
（３）  １．５＜（−ｆ１）／ｆｗ＜２．３
（４）  ０．７５＜ｆ２／（ｆｗ×ｆｔ）1/2＜１．６
但し、
ｆ１：第１レンズ群の焦点距離
ｆｗ：広角端状態におけるズームレンズ全系の焦点距離
ｆｔ：望遠端状態におけるズームレンズ全系の焦点距離
【００３２】
上記条件式（３）は、第１レンズ群の焦点距離を適切に設定するための条件式である。
【００３３】
条件式（３）の上限値を上回ると、第１レンズ群の焦点距離が大きくなり過ぎて、前玉径（物体側に配置されているレンズの径）の小型化を図ることが困難となってしまう。
【００３４】
一方、条件式（３）の下限値を下回ると、第１レンズ群の焦点距離が小さくなり過ぎて、広角端状態における歪曲収差、コマ収差、および像面湾曲を補正することが困難となる。このため、望遠端状態において、本発明のズームレンズの屈折力配置を、いわゆるテレフォトタイプとすることが困難となり、望遠端状態においてＦナンバーを確保することが困難となってしまう。
【００３５】
また、上記条件式（４）は、第２レンズ群の焦点距離を適切に設定するための条件式である。
【００３６】
条件式（４）の上限値を上回ると、第２レンズ群の焦点距離が大きくなり過ぎて、ズーミングによる第２レンズ群の移動量が大きくなり過ぎることとなってしまうため好ましくない。また、望遠端状態における絞りの径が大きくなり過ぎて、鏡筒の径が増大してしまうため好ましくない。
【００３７】
一方、条件式（４）の下限値を下回ると、第２レンズ群の焦点距離が小さくなり過ぎて、コマ収差や特に望遠端状態における球面収差を補正することが困難となってしまう。
【００３８】
また、本発明の好ましい態様によれば、本発明のズームレンズは、以下の条件式（６），（７）を満足することが望ましい。
（５）  ０．６＜（−ｆ３）／ｆ２＜１．２
（６）  ０．８＜ｆ４／（ｆｗ×ｆｔ）1/2＜２．０
但し、
ｆ２：第２レンズ群の焦点距離
ｆ３：第３レンズ群の焦点距離
ｆ４：第４レンズ群の焦点距離
【００３９】
上記条件式（５）は、第２レンズ群の焦点距離と第３レンズ群の焦点距離との比率を適切に設定し、本発明のズームレンズにおいてバックフォーカスの確保と高性能化を図ることとを両立するための条件式である。
【００４０】
条件式（５）の上限値を上回ると、第２レンズ群に比べて第３レンズ群の焦点距離が大きくなり過ぎて、広角端状態においてバックフォーカスを確保することが困難になってしまう。
【００４１】
一方、条件式（５）の下限値を下回ると、第２レンズ群に比べて第３レンズ群の焦点距離が小さくなり過ぎて、第３レンズ群において発生する球面収差、コマ収差、および非点収差が増大し、これらをバランス良く補正することが困難となってしまう。
【００４２】
上記条件式（６）は、第４レンズ群の焦点距離を適切に設定するための条件式である。
【００４３】
条件式（６）の上限値を上回ると、第４レンズ群の焦点距離が大きくなり過ぎて、広角端状態においてバックフォーカスを確保することが困難になってしまい、また、十分な変倍比を確保することも困難になってしまう。
【００４４】
一方、条件式（６）の下限値を下回ると、第４レンズ群の焦点距離が小さくなり過ぎて、ズーミングによる諸収差の変動が大きくなり、ズーム全域に亘って収差を補正することが困難になってしまう。
【００４５】
また、本発明の好ましい態様によれば、本発明のズームレンズは、第２レンズ群よりも像側であって、かつ第３レンズ群中または第３レンズ群近傍に、開口絞りを有することが望ましい。
【００４６】
以下、本発明の各実施例に係るズームレンズを添付図面に基づいて説明する。
【００４７】
（第１実施例）
図１は、本発明の第１実施例に係るズームレンズのレンズ構成を示す図であり、また本図は、広角端状態Ｗから望遠端状態Ｔへの移動軌跡も示している。
【００４８】
図１に示すように、本実施例に係るズームレンズは、物体側から順に、負の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４とからなる。そして、本実施例に係るズームレンズは、広角端状態から望遠端状態への変倍の際に、第１レンズ群Ｇ１と第２レンズ群Ｇ２との間隔が減少し、第２レンズ群Ｇ２と第３レンズ群Ｇ３との間隔が増大し、第３レンズ群Ｇ３と第４レンズ群Ｇ４との間隔が減少するように構成されている。
【００４９】
また、第２レンズ群Ｇ２よりも像側であって第３レンズ群Ｇ３の近傍には、開口絞りＳが配置されており、この開口絞りＳは変倍の際に第３レンズ群Ｇ３とともに光軸に沿って移動するように構成されている。
【００５０】
尚、以上の構成は、本実施例以降の全ての実施例に共通する構成である。このため、以下の各実施例においてはその記載を省略する。
【００５１】
本実施例に係るズームレンズにおいて、第２レンズ群Ｇ２は、物体側から順に、前群２ａと、後群２ｂとからなる。また前群２ａは、物体側から順に、両凸形状の正レンズと物体側に凹面を向けた負メニスカスレンズとの接合レンズと、物体側に凸面を向けた負メニスカスレンズと物体側に凸面を向けた正メニスカスレンズとの接合レンズとからなる。そして後群２ｂは、両凸形状の正レンズからなる。
【００５２】
以上の構成の本実施例に係るズームレンズにおいて、無限遠から近距離へのフォーカシング（合焦）は、第２レンズ群Ｇ２における前群２ａが光軸に沿って像側へ移動することによって行われる。
【００５３】
以下の表１に、本発明の第１実施例に係るズームレンズの諸元の値を掲げる。
【００５４】
（全体諸元）において、ｆは焦点距離、ＦＮＯはＦナンバー、２Ａは画角をそれぞれ示す。
【００５５】
（レンズデータ）において、面は物体側からのレンズ面の順序、ｒはレンズ面の曲率半径、ｄはレンズ面の間隔をそれぞれ示す。また、Ｎはｄ線（λ＝５８７．６ｎｍ）に対する屈折率、νはｄ線（λ＝５８７．６ｎｍ）に対するアッベ数をそれぞれ示す。
【００５６】
ここで、本実施例に係るズームレンズ中の非球面は、以下の非球面式で表される。尚、ｙは光軸からの高さ、ｘはサグ量、ｃは基準球面の曲率（近軸曲率）、κは円錐定数、Ｃ4，Ｃ6，Ｃ8，Ｃ10，Ｃ12は各々４，６，８，１０，１２次の非球面係数とする。
ｘ＝ｃｙ2／｛１＋（１−κｃ2ｙ2）1/2｝
＋Ｃ4ｙ4＋Ｃ6ｙ6＋Ｃ8ｙ8＋Ｃ10ｙ10＋Ｃ12ｙ12
【００５７】
以上のように表される非球面は、（レンズデータ）において面番号に＊印を付して曲率半径ｒの欄に近軸曲率半径を掲載し、（非球面データ）においてκおよび各非球面係数を掲載している。尚、（非球面データ）において、「E-n」は「×１０-n」を示す。例えば、「1.234E-05」は「1.234×10-5」を示す。
【００５８】
また、（各レンズブロックの倍率）において、βは物体と像間の結像倍率を示す。また、1-POSは広角端状態で無限遠合焦時、2-POSは中間焦点距離状態で無限遠合焦時、3-POSは望遠端状態で無限遠合焦時をそれぞれ示し、4-POSは広角端状態でβ＝-0.02500での合焦時、5-POSは中間焦点距離状態でβ＝-0.02500での合焦時、6-POSは望遠端状態でβ＝-0.02500での合焦時をそれぞれ示し、7-POSは広角端状態で近距離合焦時、8-POSは中間焦点距離状態で近距離合焦時、9-POSは望遠端状態で近距離合焦時をそれぞれ示す。また、B(m-n)は、面番号ｍのレンズ面と面番号ｎのレンズ面との間に位置する全てのレンズからなるレンズブロックを示す。
【００５９】
ここで、以下の各実施例の全ての諸元値において掲載されている焦点距離、曲率半径、その他長さの単位は一般に「ｍｍ」が使われる。しかし光学系は、比例拡大または比例縮小しても同等の光学性能が得られるため、単位は「ｍｍ」に限られるものではない。
【００６０】
尚、以下の全実施例の諸元値においても、本実施例と同様の符号を用いる。
【００６１】
［表１］
（全体諸元）
広角端状態  中間焦点距離状態  望遠端状態
ｆ    ＝   17.55  〜     29.61      〜   53.4
２Ａ  ＝   83.36  〜     53.34      〜   31.1
ＦＮＯ＝    2.89
（レンズデータ）
面      ｒ        ｄ       Ｎ       ν
1)    41.7490   2.0000  1.799520   42.24
2)    22.5226  14.4873
3)    74.2071   2.0000  1.796681   45.37
* 4)    38.7933   8.0658
5)   -92.4063   1.3000  1.569070   71.31
6)    58.4359   0.0000
7)    58.4359   3.7360  1.846660   23.78
8)   289.3259   D8(可変)
9)   180.6275   4.2583  1.696800   55.52
10)   -50.6496   1.0000  1.846660   23.78
11)   -80.4575   0.1000
12)    41.9083   1.0000  1.846660   23.78
13)    25.4611   6.0000  1.487490   70.24
14)   157.3587   1.0024
*15)    43.2622   5.7575  1.713000   53.85
16)  -259.6633   D16(可変)
17>  開口絞りＳ  1.2000
18)   128.9726   4.3615  1.846660   23.78
19)   -24.3308   1.0000  1.804000   46.58
20)    49.4407   2.5995
21)   -31.3713   1.0000  1.804000   46.58
22)   115.9859   D22(可変)
23)   368.8076   5.0000  1.497820   82.52
24)   -28.1873   0.1000
25)   159.2657   2.7000  1.618000   63.38
26)  -123.3241   0.1000
27)    65.0663   5.7301  1.497820   82.52
28)   -28.1289   1.0000  1.846660   23.78
29)  -106.6177
（非球面データ）
面    κ       C4           C6           C8           C10
4  0.0000 -3.19380E-06 -4.94320E-09  7.51060E-13 -1.32410E-14
C12
-0.44693E-17
面    κ       C4           C6           C8           C10
15  1.0000  1.00000E-08  3.75250E-10  1.08920E-12  0.00000E+00
（可変間隔データ）
広角端状態  中間焦点距離状態  望遠端状態
D8    39.33590       16.23690        1.75000
D16    1.35000       10.85920       22.23130
D22   17.07340       12.51060        5.52610
（各レンズブロックの倍率）
1-POS    2-POS    3-POS    4-POS    5-POS    6-POS
β                                  -0.02500 -0.02500 -0.02500
B(1-8)    0.00000  0.00000  0.00000  0.04277  0.02511  0.01387
B(9-14)  -3.80389 12.59026  3.40003 -3.78623 12.59237  3.40648
B(15-16)  0.14366 -0.07072 -0.43257  0.14360 -0.07077 -0.43262
B(17-22) -2.78220 -2.33000 -1.35946 -2.78119 -2.32934 -1.35927
B(23-29) -0.38982 -0.48203 -0.90196 -0.38994 -0.48215 -0.90208
7-POS    8-POS    9-POS
β       -0.066   -0.107   -0.197
B(1-8)    0.11503  0.10862  0.10999
B(9-14)  -3.76723 12.47409  3.43905
B(15-16)  0.14323 -0.07178 -0.43562
B(17-22) -2.77512 -2.31783 -1.34763
B(23-29) -0.39065 -0.48422 -0.90944
【００６２】
図２（ａ），（ｂ），（ｃ）はそれぞれ、本発明の第１実施例に係るズームレンズの広角端状態，中間焦点距離状態，望遠端状態における無限遠合焦時の諸収差図を示す。
【００６３】
各収差図において、ＦＮＯはＦナンバー、Ａは半画角をそれぞれ示す。また、非点収差図および歪曲収差図においては半画角Ａの最大値を示す。また、ｄ，ｇはそれぞれ、ｄ線（λ＝５８７．６ｎｍ），ｇ線（λ＝４３５．８ｎｍ）の収差曲線を示している。
【００６４】
球面収差図において、ＦＮＯは最大口径に対応するＦナンバーの値を示す。
【００６５】
非点収差図において、実線はサジタル像面、点線はメリディオナル像面をそれぞれ示す。
【００６６】
コマ収差図は、各半画角におけるコマ収差をそれぞれ表している。
【００６７】
尚、以下に示す各実施例の諸収差図において、本実施例と同様の符号を用いる。
【００６８】
各諸収差図より本実施例に係るズームレンズは、広角端状態、中間焦点距離状態、および望遠端状態の各状態において、諸収差を良好に補正し、優れた結像性能を有することがわかる。
【００６９】
（第２実施例）
図３は、本発明の第２実施例に係るズームレンズのレンズ構成を示す図であり、また本図は、広角端状態Ｗから望遠端状態Ｔへの移動軌跡も示している。
【００７０】
本実施例に係るズームレンズにおいて、第２レンズ群Ｇ２は、物体側から順に、前群２ａと、後群２ｂとからなる。また前群２ａは、物体側から順に、両凸形状の正レンズと物体側に凹面を向けた負メニスカスレンズとの接合レンズと、物体側に凸面を向けた負メニスカスレンズと物体側に凸面を向けた正メニスカスレンズとの接合レンズとからなる。そして後群２ｂは、両凸形状の正レンズからなる。
【００７１】
以上の構成の本実施例に係るズームレンズにおいて、無限遠から近距離へのフォーカシングは、第２レンズ群Ｇ２における前群２ａが光軸に沿って像側へ移動することによって行われる。
【００７２】
以下の表２に、本発明の第２実施例に係るズームレンズの諸元の値を掲げる。
【００７３】
［表２］
（全体諸元）
広角端状態  中間焦点距離状態  望遠端状態
ｆ    ＝   17.55  〜     30.79      〜   53.4
２Ａ  ＝   83.34  〜     51.24      〜   30.98
ＦＮＯ＝    2.89
（レンズデータ）
面      ｒ        ｄ       Ｎ       ν
1)    40.9179   2.0000  1.806100   40.94
2)    21.9529  14.9387
3)    85.5860   2.0000  1.796681   45.37
* 4)    41.8649   6.6331
5)   -88.8627   1.3000  1.569070   71.31
6)    79.4414   0.0000
7)    79.4414   3.4131  1.846660   23.78
8)  4482.0238   D8(可変)
9)   265.6240   4.1124  1.696800   55.52
10)   -53.0226   1.0000  1.805180   25.43
11)   -85.4782   0.1000
12)    48.4579   1.0000  1.846660   23.78
13)    28.3332   6.0000  1.487490   70.24
14)   609.7882   1.0047
15)    44.0030   5.8155  1.696800   55.52
16)  -207.9680   D16(可変)
17>  開口絞りＳ  1.2000
18)   132.9964   4.2981  1.846660   23.78
19)   -24.6683   1.0000  1.804000   46.58
20)    52.5868   2.6051
21)   -31.0252   1.0000  1.804000   46.58
22)   108.4429   D22(可変)
23)  1202.2229   5.0000  1.497820   82.52
24)   -26.9875   0.1000
25)   152.4677   2.7000  1.618000   63.38
26)  -129.6517   0.1000
27)    54.2036   6.0000  1.497820   82.52
28)   -30.0273   1.0000  1.846660   23.78
29)  -162.9006
（非球面データ）
面    κ       C4           C6           C8           C10
4  0.0000 -4.05780E-06 -3.17270E-09 -1.99470E-11  5.77110E-14
C12
-0.94474E-16
（可変間隔データ）
広角端状態  中間焦点距離状態  望遠端状態
D8    40.95880       15.53650        1.75000
D16    1.35000       12.25530       23.90170
D22   17.41550       13.09280        6.05810
（各レンズブロックの倍率）
1-POS    2-POS    3-POS    4-POS    5-POS    6-POS
β                                  -0.02500 -0.02500 -0.02500
B(1-8)    0.00000  0.00000  0.00000  0.04449  0.02510  0.01443
B(9-14)  -3.82942 10.11327  3.40001 -3.81121 10.11878  3.40667
B(15-16)  0.13758 -0.08740 -0.41103  0.13752 -0.08746 -0.41108
B(17-22) -2.61985 -2.38465 -1.57100 -2.61895 -2.38397 -1.57075
B(23-29) -0.41289 -0.47443 -0.78981 -0.41301 -0.47455 -0.78993
7-POS    8-POS    9-POS
β       -0.066   -0.111   -0.195
B(1-8)    0.12027  0.11285  0.11327
B(9-14)  -3.79169 10.05288  3.44006
B(15-16)  0.13714 -0.08853 -0.41394
B(17-22) -2.61348 -2.37106 -1.55587
B(23-29) -0.41373 -0.47678 -0.79712
【００７４】
図４（ａ），（ｂ），（ｃ）はそれぞれ、本発明の第２実施例に係るズームレンズの広角端状態，中間焦点距離状態，望遠端状態における無限遠合焦時の諸収差図を示す。
【００７５】
各諸収差図より本実施例に係るズームレンズは、広角端状態、中間焦点距離状態、および望遠端状態の各状態において、諸収差を良好に補正し、優れた結像性能を有することがわかる。
【００７６】
（第３実施例）
図５は、本発明の第３実施例に係るズームレンズのレンズ構成を示す図であり、また本図は、広角端状態Ｗから望遠端状態Ｔへの移動軌跡も示している。
【００７７】
本実施例に係るズームレンズにおいて、第２レンズ群Ｇ２は、物体側から順に、前群２ａと、後群２ｂとからなる。また前群２ａは、物体側から順に、両凸形状の正レンズと、物体側に凸面を向けた負メニスカスレンズと両凸形状の正レンズとの接合レンズとからなる。そして後群２ｂは、両凸形状の正レンズからなる。
【００７８】
以上の構成の本実施例に係るズームレンズにおいて、無限遠から近距離へのフォーカシングは、第２レンズ群Ｇ２における前群２ａが光軸に沿って像側へ移動することによって行われる。
【００７９】
以下の表３に、本発明の第３実施例に係るズームレンズの諸元の値を掲げる。
【００８０】
［表３］
（全体諸元）
広角端状態  中間焦点距離状態  望遠端状態
ｆ    ＝   17.55  〜     33.80      〜   53.4
２Ａ  ＝   83.36  〜     46.86      〜   30.78
ＦＮＯ＝    2.89
（レンズデータ）
面      ｒ        ｄ       Ｎ       ν
1)    88.4857   2.0000  1.569070   71.31
2)    23.1237  12.5909
3)  1676.3197   2.0000  1.796681   45.37
* 4)    37.3077   5.6615
5)    79.7028   3.3257  1.805180   25.43
6)  1620.6953   D6(可変)
* 7)   134.8418   5.0000  1.677900   55.34
8)  -102.4648   0.1000
9)   125.7885   1.0000  1.805180   25.43
10)    33.4567   7.0000  1.618000   63.38
11) -2913.5812   5.5422
*12)    53.4429   6.0000  1.589130   61.18
13)  -123.9664   D13(可変)
14>  開口絞りＳ  1.2000
15)   152.1655   4.0000  1.846660   23.78
16)   -31.2559   1.0000  1.804000   46.58
17)   104.9708   1.8127
18)   -39.8203   1.0000  1.804000   46.58
19)    91.7813   D19(可変)
20)  -530.1722   4.9750  1.618000   63.38
21)   -31.9506   1.7123
22)   193.3336   3.0000  1.518601   69.98
23)   -83.1397   0.1000  1.000000
24)    58.3456   5.0292  1.518601   69.98
25)   -31.3537   1.0000  1.846660   23.78
26)  -447.5858
（非球面データ）
面    κ       C4           C6           C8           C10
4  0.0000 -5.36480E-06 -1.71290E-09  4.22100E-12 -2.13050E-14
C12
0.16581E-16
面    κ       C4           C6           C8           C10
7  1.0000 -2.14990E-06  2.70180E-09 -1.00150E-12  0.00000E+00
面    κ       C4           C6           C8           C10
12  1.0000  1.65360E-06 -2.67510E-09  2.47720E-12 -3.01900E-15
（可変間隔データ）
広角端状態  中間焦点距離状態  望遠端状態
D6    44.20260       13.46390        1.75000
D13    1.35000       19.48370       33.77710
D19   18.02270       11.52620        2.63440
（各レンズブロックの倍率）
1-POS    2-POS    3-POS    4-POS    5-POS    6-POS
β                                  -0.02500 -0.02500 -0.02500
B(1-6)    0.00000  0.00000  0.00000  0.04882  0.02507  0.01584
B(7-11)  -4.30819  6.45890  3.30819 -4.28973  6.46779  3.31537
B(12-13)  0.13576 -0.16783 -0.48561  0.13568 -0.16790 -0.48567
B(14-19) -3.17928 -2.82367 -1.87713 -3.17785 -2.82263 -1.87673
B(20-26) -0.27919 -0.32670 -0.52381 -0.27930 -0.32680 -0.52392
7-POS    8-POS    9-POS
β       -0.067   -0.123   -0.196
B(1-6)    0.13309  0.12456  0.12490
B(7-11)  -4.27360  6.46338  3.35220
B(12-13)  0.13521 -0.16954 -0.48946
B(14-19) -3.16900 -2.79827 -1.85197
B(20-26) -0.27996 -0.32931 -0.53049
【００８１】
図６（ａ），（ｂ），（ｃ）はそれぞれ、本発明の第３実施例に係るズームレンズの広角端状態，中間焦点距離状態，望遠端状態における無限遠合焦時の諸収差図を示す。
【００８２】
各諸収差図より本実施例に係るズームレンズは、広角端状態、中間焦点距離状態、および望遠端状態の各状態において、諸収差を良好に補正し、優れた結像性能を有することがわかる。
【００８３】
（第４実施例）
図７は、本発明の第４実施例に係るズームレンズのレンズ構成を示す図であり、（ａ），（ｂ），（ｃ）はそれぞれ、広角端状態Ｗ，中間焦点距離状態Ｍ，望遠端状態Ｔを示している。
【００８４】
本実施例に係るズームレンズにおいて、第２レンズ群Ｇ２は、物体側から順に、前群２ａと、後群２ｂとからなる。また前群２ａは、物体側から順に、両凸形状の正レンズと、物体側に凸面を向けた負メニスカスレンズと両凸形状の正レンズとの接合レンズとからなる。そして後群２ｂは、両凸形状の正レンズからなる。
【００８５】
以上の構成の本実施例に係るズームレンズにおいて、無限遠から近距離へのフォーカシングは、第２レンズ群Ｇ２における前群２ａが光軸に沿って像側へ移動することによって行われる。
【００８６】
以下の表４に、本発明の第４実施例に係るズームレンズの諸元の値を掲げる。
【００８７】
［表４］
（全体諸元）
広角端状態  中間焦点距離状態  望遠端状態
ｆ    ＝   17.50  〜     31.433     〜   53.4
２Ａ  ＝   83.44  〜     49.96      〜   30.78
ＦＮＯ＝    2.88
（レンズデータ）
面      ｒ        ｄ       Ｎ       ν
1)    61.1778   2.5000  1.796681   45.37
* 2)    23.8595  22.2571
3)   -53.4452   1.3000  1.497820   82.52
4)    74.5711   0.0000
5)    74.5711   2.8345  1.805180   25.43
6)   251.1650   D6(可変)
* 7)   144.7881   3.2432  1.669100   55.39
8)  -101.9877   0.1000
9)   115.7173   1.0000  1.846660   23.78
10)    33.8371   5.6799  1.618000   63.38
11)  -316.7089   1.0036
*12)    54.0448   4.9363  1.744429   49.52
13)  -201.4533   D13(可変)
14>  開口絞りＳ  1.2000
15)   195.2821   3.6562  1.846660   23.78
16)   -28.8371   1.0000  1.804000   46.58
17)    92.5612   1.9195
18)   -39.0662   1.0000  1.804000   46.58
19)   115.0637   D19(可変)
20)   -89.5048   3.2808  1.497820   82.52
21)   -27.7764   0.1000
22)   335.0242   2.6731  1.618000   63.38
23)   -64.1525   0.1077
24)    49.9637   6.1661  1.497820   82.52
25)   -32.4974   1.0000  1.846660   23.78
26)  -283.4287
（非球面データ）
面    κ       C4           C6           C8           C10
2  0.0000  4.59450E-06  6.67330E-10  7.66470E-12 -9.79900E-15
C12
0.59536E-17
面    κ       C4           C6           C8           C10
7  1.0000 -1.84030E-06 -3.89750E-12  2.85600E-12  0.00000E+00
面    κ       C4           C6           C8           C10
12  1.0000  1.39700E-06 -3.54520E-11 -6.71070E-13 -4.17940E-16
（可変間隔データ）
広角端状態  中間焦点距離状態  望遠端状態
D6    42.84360       14.89650        1.75000
D13    1.35000       13.32930       27.30380
D19   19.73850       14.04300        5.54860
（各レンズブロックの倍率）
1-POS    2-POS    3-POS    4-POS    5-POS    6-POS
β                                  -0.02500 -0.02500 -0.02500
B(1-6)    0.00000  0.00000  0.00000  0.04513  0.02496  0.01468
B(7-11)  -4.15384  7.21257  3.15345 -4.13339  7.22343  3.16041
B(12-13)  0.13506 -0.14079 -0.52025  0.13506 -0.14079 -0.52025
B(14-19) -4.57979 -2.96156 -1.73145 -4.57979 -2.96157 -1.73145
B(20-26) -0.21668 -0.33252 -0.59806 -0.21668 -0.33252 -0.59806
7-POS    8-POS    9-POS
β       -0.065   -0.112   -0.194
B(1-6)    0.11855  0.11125  0.11209
B(7-11)  -4.10010  7.26096  3.20652
B(12-13)  0.13506 -0.14079 -0.52025
B(14-19) -4.57979 -2.96156 -1.73145
B(20-26) -0.21668 -0.33252 -0.59806
【００８８】
図８（ａ），（ｂ），（ｃ）はそれぞれ、本発明の第４実施例に係るズームレンズの広角端状態，中間焦点距離状態，望遠端状態における無限遠合焦時の諸収差図を示す。
【００８９】
各諸収差図より本実施例に係るズームレンズは、広角端状態、中間焦点距離状態、および望遠端状態の各状態において、諸収差を良好に補正し、優れた結像性能を有することがわかる。
【００９０】
ここで、本発明の各実施例に係るズームレンズの条件式対応値を以下の表５に掲げる。
【００９１】
［表５］
（条件式対応値）
第１実施例 第２実施例 第３実施例 第４実施例
条件式（１）    3.40       3.40       3.31       3.15
条件式（２）    1.73       1.34       1.24       1.28
条件式（３）    1.69       1.75       1.93       1.80
条件式（４）    1.18       1.16       1.28       1.15
条件式（５）    0.69       0.70       0.88       0.94
条件式（６）    1.05       1.06       1.92       1.20
【００９２】
以上、本発明の各実施例によれば、広角端状態における画角が７５度以上で、変倍比が３倍以上で、大口径であって、最も物体側のレンズ群以外のレンズ群によって合焦を行い、かつ軽量でありながらズーミングによる焦点移動が少なく、鏡筒の構成が簡単なズームレンズを実現することができる。
【図面の簡単な説明】
【００９３】
【図１】本発明の第１実施例に係るズームレンズのレンズ構成を示す図である。
【図２】（ａ），（ｂ），（ｃ）はそれぞれ、本発明の第１実施例に係るズームレンズの広角端状態，中間焦点距離状態，望遠端状態における無限遠合焦時の諸収差図を示す図である。
【図３】本発明の第２実施例に係るズームレンズのレンズ構成を示す図である。
【図４】（ａ），（ｂ），（ｃ）はそれぞれ、本発明の第２実施例に係るズームレンズの広角端状態，中間焦点距離状態，望遠端状態における無限遠合焦時の諸収差図を示す図である。
【図５】本発明の第３実施例に係るズームレンズのレンズ構成を示す図である。
【図６】（ａ），（ｂ），（ｃ）はそれぞれ、本発明の第３実施例に係るズームレンズの広角端状態，中間焦点距離状態，望遠端状態における無限遠合焦時の諸収差図を示す図である。
【図７】本発明の第４実施例に係るズームレンズのレンズ構成を示す図である。
【図８】（ａ），（ｂ），（ｃ）はそれぞれ、本発明の第４実施例に係るズームレンズの広角端状態，中間焦点距離状態，望遠端状態における無限遠合焦時の諸収差図を示す図である。
【符号の説明】
【００９４】
Ｇ１    第１レンズ群
Ｇ２    第２レンズ群
２ａ    第２レンズ群における前群
２ｂ    第２レンズ群における後群
Ｇ３    第３レンズ群
Ｇ４    第４レンズ群
Ｉ      像面
Ｗ      広角端状態
Ｍ      中間焦点距離状態
Ｔ      望遠端状態
【図１】
2005107036.tif 000003
【図２】
2005107036.tif 000004
【図３】
2005107036.tif 000005
【図４】
2005107036.tif 000006
【図５】
2005107036.tif 000007
【図６】
2005107036.tif 000008
【図７】
2005107036.tif 000009
【図８】
2005107036.tif 000010